(57)【要約】発電システムは、第１のポンプ方向での動作と、第１のポンプ方向と反対の第２のポンプ方向での動作との間で切り替え可能であるように構成された油圧ポンプと、油圧流を電力に変換するように、油圧ポンプに動作可能に接続された油圧モータとを含む。油圧モータは、モータ入口流路及びモータ出口流路を有する。油圧ブロックは、油圧ポンプ及び油圧モータと流体連通して設置されている。油圧ブロックは、油圧ポンプが、第１のポンプ方向で動作しているか、または第２のポンプ方向で動作しているかに関係なく、油圧ブロックを出て油圧モータに向かう作動油の流れが、モータ入口流路を通って導かれるように構成されている。
2021520473.tif 000002
【特許請求の範囲】
【請求項１】
第１のポンプ方向での動作と、前記第１のポンプ方向と反対の第２のポンプ方向での動作との間で切り替え可能であるように構成された油圧ポンプと、
油圧流を電力に変換するように、前記油圧ポンプに動作可能に接続された油圧モータであって、モータ入口流路及びモータ出口流路を有する、前記油圧モータと、
前記油圧ポンプ及び前記油圧モータと流体連通して配置された油圧ブロックであって、前記油圧ポンプが、前記第１のポンプ方向で動作しているか、または前記第２のポンプ方向で動作しているかに関係なく、前記油圧ブロックを出て前記油圧モータに向かう作動油の流れが、前記モータ入口流路を通って導かれるように構成された、前記油圧ブロックと、
を備える、発電システム。
【請求項２】
前記油圧ブロックが、前記油圧ブロックを通る作動油の流れを導くように、複数の油圧流路と相互に接続された複数の逆止弁を含む、請求項１に記載の発電システム。
【請求項３】
前記油圧ブロックが圧力調整器を含む、請求項２に記載の発電システム。
【請求項４】
前記油圧モータに動作可能に接続されており、前記油圧モータによって駆動されるプライミングポンプを更に備える、請求項１に記載の発電システム。
【請求項５】
前記プライミングポンプは、前記発電システム内の選択された作動油圧力を維持するように、作動油リザーバと流体連通している、請求項４に記載の発電システム。
【請求項６】
前記プライミングポンプが、前記油圧モータによって一方向にのみ駆動される、請求項４に記載の発電システム。
【請求項７】
前記油圧モータが、１つまたは複数のバッテリを充電するように、前記１つまたは複数のバッテリに動作可能に接続される、請求項１に記載の発電システム。
【請求項８】
貨物コンテナと、
前記貨物コンテナの内部を調整するように、前記貨物コンテナに動作可能に接続された冷却ユニットと、
前記冷却ユニットに電力を供給するように、前記冷却ユニットに動作可能に接続された発電システムであって、前記発電システムは、
第１のポンプ方向での動作と、前記第１のポンプ方向と反対の第２のポンプ方向での動作との間で切り替え可能であるように構成された油圧ポンプと、
油圧流を電力に変換するように、前記油圧ポンプに動作可能に接続された油圧モータであって、モータ入口流路及びモータ出口流路を有する、前記油圧モータと、
前記油圧ポンプ及び前記油圧モータと流体連通して配置された油圧ブロックであって、前記油圧ポンプが、前記第１のポンプ方向で動作しているか、または前記第２のポンプ方向で動作しているかに関係なく、前記油圧ブロックを出て前記油圧モータに向かう作動油の流れが、前記モータ入口流路を通って導かれるように構成された、前記油圧ブロックと、
を有した前記発電システムと、
を備える、輸送用冷却システム。
【請求項９】
前記油圧ブロックが、前記油圧ブロックを通る作動油の流れを導くように、複数の油圧流路と相互に接続された複数の逆止弁を含む、請求項８に記載の輸送用冷却システム。
【請求項１０】
前記油圧ブロックが圧力調整器を含む、請求項９に記載の輸送用冷却システム。
【請求項１１】
前記油圧モータに動作可能に接続されており、前記油圧モータによって駆動されるプライミングポンプを更に備える、請求項８に記載の輸送用冷却システム。
【請求項１２】
前記プライミングポンプは、前記発電システム内の選択された作動油圧力を維持するように、作動油リザーバと流体連通している、請求項１１に記載の輸送用冷却システム。
【請求項１３】
前記プライミングポンプが、前記油圧モータによって一方向にのみ駆動される、請求項１１に記載の輸送用冷却システム。
【請求項１４】
前記油圧モータが、１つまたは複数のバッテリを充電するように、前記１つまたは複数のバッテリに動作可能に接続される、請求項８に記載の輸送用冷却システム。
【請求項１５】
前記１つまたは複数のバッテリが、前記冷却ユニットに電力を供給するように、前記冷却ユニットに動作可能に接続される、請求項１４に記載の輸送用冷却システム。
【請求項１６】
前記油圧ポンプが、車両車輪の回転によって駆動される、請求項８に記載の輸送用冷却システム。
【請求項１７】
前記車両車輪が、鉄道車両車輪である、請求項１６に記載の輸送用冷却システム。
【発明の詳細な説明】
【背景技術】
【０００１】
例示的な実施形態は、輸送用冷却システムの技術に関し、より詳細には、輸送用冷却システムのための発電に利用される油圧システムに関する。
【０００２】
トラックで利用されるような輸送用冷却システムは、一般的には、車両駆動エンジンとは別のディーゼル式エンジンによって駆動される冷却ユニットである。他の輸送用冷却システムでは、冷却ユニットは油圧ポンプによって駆動され、この油圧ポンプは車両駆動エンジンに結合されたトラックのパワーテイクオフモータに接続されている。油圧システムは、冷却ユニットがそれ自体のディーゼルエンジンを使用することを全く必要とせずに、冷却ユニットに電力を供給する発電機を駆動する。油圧システムに組み込まれているのは、発電機が安定して同じ回転数で動作することを保証する制御ユニットである。それによって、車両が交通量の多い場所でアイドリングしている時でも一定の出力が維持されるので、運転者が、十分な冷却力を供給するために、トラックのエンジンの回転を上げる必要は一切ない。
【０００３】
こうしたシステムを鉄道用途で使用することが提案されており、油圧ポンプは鉄道車両の車輪の回転によって駆動される。このような鉄道用途とトラック用途との大きな違いの１つは、トラック用途では、車両駆動エンジンの回転方向が１つだけであるため、油圧ポンプの回転が常に同じ方向になることである。その一方で、鉄道用途では、油圧ポンプは、鉄道車両の鉄道車輪の回転方向に応じて、２つの方向に動作することになる。
【発明の概要】
【０００４】
一実施形態では、発電システムは、第１のポンプ方向での動作と、第１のポンプ方向と反対の第２のポンプ方向での動作との間で切り替え可能であるように構成された油圧ポンプと、油圧流を電力に変換するように、油圧ポンプに動作可能に接続された油圧モータとを含む。油圧モータは、モータ入口流路及びモータ出口流路を有する。油圧ブロックは、油圧ポンプ及び油圧モータと流体連通して設置されている。油圧ブロックは、油圧ポンプが、第１のポンプ方向で動作しているか、または第２のポンプ方向で動作しているかに関係なく、油圧ブロックを出て油圧モータに向かう作動油の流れが、モータ入口流路を通って導かれるように構成されている。
【０００５】
追加または代替として、この実施形態または他の実施形態では、油圧ブロックは、油圧ブロックを通る作動油の流れを導くように、複数の油圧流路と相互に接続された複数の逆止弁を含む。
【０００６】
追加または代替として、この実施形態または他の実施形態では、油圧ブロックは圧力調整器を含む。
【０００７】
追加または代替として、この実施形態または他の実施形態では、プライミングポンプは、油圧モータに動作可能に接続されており、油圧モータによって駆動される。
【０００８】
追加または代替として、この実施形態または他の実施形態では、プライミングポンプは、発電システム内の選択された作動油圧力を維持するように、作動油リザーバと流体連通している。
【０００９】
追加または代替として、この実施形態または他の実施形態では、プライミングポンプは、油圧モータによって一方向にのみ駆動される。
【００１０】
追加または代替として、この実施形態または他の実施形態では、油圧モータは、１つまたは複数のバッテリを充電するように、１つまたは複数のバッテリに動作可能に接続されている。
【００１１】
別の実施形態では、輸送用冷却システムは、貨物コンテナと、貨物コンテナの内部を調整するように、貨物コンテナに動作可能に接続された冷却ユニットと、冷却ユニットに電力を供給するように、冷却ユニットに動作可能に接続された発電システムとを含む。発電システムは、第１のポンプ方向での動作と、第１のポンプ方向と反対の第２のポンプ方向での動作との間で切り替え可能であるように構成された油圧ポンプと、油圧流を電力に変換するように、油圧ポンプに動作可能に接続された油圧モータであって、モータ入口流路及びモータ出口流路を有する、油圧モータと、油圧ポンプ及び油圧モータと流体連通して設置された油圧ブロックとを含む。油圧ブロックは、油圧ポンプが、第１のポンプ方向で動作しているか、または第２のポンプ方向で動作しているかに関係なく、油圧ブロックを出て油圧モータに向かう作動油の流れが、モータ入口流路を通って導かれるように構成されている。
【００１２】
追加または代替として、この実施形態または他の実施形態では、油圧ブロックは、油圧ブロックを通る作動油の流れを導くように、複数の油圧流路と相互に接続された複数の逆止弁を含む。
【００１３】
追加または代替として、この実施形態または他の実施形態では、油圧ブロックは圧力調整器を含む。
【００１４】
追加または代替として、この実施形態または他の実施形態では、プライミングポンプは、油圧モータに動作可能に接続されており、油圧モータによって駆動される。
【００１５】
追加または代替として、この実施形態または他の実施形態では、プライミングポンプは、発電システム内の選択された作動油圧力を維持するように、作動油リザーバと流体連通している。
【００１６】
追加または代替として、この実施形態または他の実施形態では、プライミングポンプは、油圧モータによって一方向にのみ駆動される。
【００１７】
追加または代替として、この実施形態または他の実施形態では、油圧モータは、１つおよび複数のバッテリを充電するように、１つおよび複数のバッテリに動作可能に接続されている。
【００１８】
追加または代替として、この実施形態または他の実施形態では、１つおよび複数のバッテリは、冷却ユニットに電力を供給するように、冷却ユニットに動作可能に接続されている。
【００１９】
追加または代替として、この実施形態または他の実施形態では、油圧ポンプは、車両車輪の回転によって駆動される。
【００２０】
追加または代替として、この実施形態または他の実施形態では、車両車輪は、鉄道車両車輪である。
【００２１】
以下の説明は、何らかの形で限定するものであると見なすべきではない。添付の図面に関し、同様の要素には同様の番号が付けられている。
【図面の簡単な説明】
【００２２】
【図１】１つまたは複数の冷却貨物コンテナを含む鉄道車両の実施形態の概略図である。
【図２】１つまたは複数の冷却貨物コンテナ用の発電システムの概略図である。
【図３】発電システム用の油圧システムの実施形態の概略図である。
【図４】発電システム用の油圧システムの実施形態の別の概略図である。
【発明を実施するための形態】
【００２３】
開示される装置及び方法の１つまたは複数の実施形態の詳細な説明が、図面に関連して、限定ではなく例証として本明細書に提示される。
【００２４】
図１を参照すると、鉄道車両１０の実施形態が示されている。鉄道車両１０は、車台１２を含み、この車台１２は、車台１２に回転可能に接続され、レールと相互に作用する複数の車輪１４を介してレール（図示せず）に沿って移動可能である。車台１２には、鉄道車両１０によって輸送されることになる１つまたは複数の冷却貨物コンテナ１６が設置されている。冷却貨物コンテナ１６は、冷却貨物コンテナ１６の内部の貨物を選択された温度に維持するように構成された冷却ユニット１８を含む。冷却ユニット１８は、電力によって駆動される。それぞれが冷却ユニット１８を有する４つの冷却貨物コンテナ１６を図１に示すが、１台、２台、３台、５台、またはそれ以上の台数の冷却貨物コンテナ１６など、他の数量の冷却貨物コンテナ１６を鉄道車両１０に設置してもよいことが理解されるべきである。
【００２５】
次に図２を参照すると、発電システム２０の概略図が示されている。発電システム２０は、冷凍ユニット１８に対する電力を発生させて、冷凍ユニット１８に電力を供給するように、鉄道車両１０に搭載されている。発電システム２０は、発電システム２０を通る作動油の流れを駆動するように構成された油圧ポンプ２２を含む。油圧ポンプ２２は、鉄道車両１０がレールに沿って移動するときの車輪１４の回転により、油圧ポンプ２２の動作が駆動されるように、鉄道車両１０の車輪１４に取り付けられている。発電機を含む油圧モータ２４が、油圧配管２６を介して油圧ポンプ２２に動作可能に接続されており、油圧モータ２４にて電力を発生させるように、作動油の流れにより、油圧モータ２４の回転子を固定子に対して回転させる。油圧モータ２４は、発電機を介してインバータ２８に接続され、バッテリ入力ライン３２を介して１つまたは複数のバッテリ３０に接続されており、したがって、油圧モータ２４で発生した電力がバッテリ３０の充電に利用される。バッテリ出力ライン３４は、バッテリ３０からバッテリ出力ライン３８によって１つまたは複数の出力インバータ３６を通して電力を導き、１つまたは複数のプラグ４０に送り出す。１つまたは複数のプラグ４０、または他のコネクタは、冷却ユニット１８の動作に電力を供給するように、冷却貨物コンテナ１６の冷却ユニット１８に接続可能である。ある実施形態では、発電システム２０は、バッテリ３０を充電するために、４４に概略的に示す電気グリッドに任意選択的に発電システム２０を接続する電気グリッドライン４２を含む。
【００２６】
発電システム２０は、プライミングポンプ４６を利用して、発電システム２０の油圧構成要素内の作動油圧力を、例えば１０バール（ｂａｒ）以上の範囲に維持する。プライミングポンプ４６は、油圧モータ２４に動作可能に接続されており、油圧モータ２４の回転子の回転によって駆動されて、選択された作動油圧力を維持する。
【００２７】
上記のような用途では、油圧ポンプ２２は双方向ポンプであり、したがって、油圧ポンプ２２は、油圧ポンプ２２が接続されている車輪１４の回転方向に関係なく、発電システム２０中に作動油を圧送する。そのような動作により、次に、車輪１４の回転方向に応じて、油圧モータ２４が、２つの方向のいずれかの方向に回転駆動される。しかし、そのような２方向の回転は、キャビテーションなどのプライミングポンプ４６の動作上の問題を招くことになる。
【００２８】
このようなプライミングポンプ４６での動作上の問題を防止するために、発電システム２０は、油圧ポンプ２２と油圧モータ２４との間の作動油経路に沿って設置された油圧ブロック４８を含む。図２の実施形態では、油圧ブロック４８は油圧ポンプ２２に設置されているが、他の実施形態では、油圧ブロック４８は、例えば、油圧配管２６に沿って設置してもよく、または油圧モータ２４に設置してもよいことが理解されるべきである。油圧ブロック４８は、車輪１４の回転方向または油圧ポンプ２２の回転方向にかかわらず、油圧モータ２４の回転子が常に同じ方向に回転するように、油圧モータ２４に流入する作動油の流れの方向を管理するように構成されている。結果として、プライミングポンプ４６は油圧モータ２４の回転によって駆動されるので、プライミングポンプ４６は常に同じ方向に回転することになり、したがってプライミングポンプの動作上の問題を防止する。
【００２９】
油圧ブロック４８の構造及び機能については、図３の発電システム２０の油圧構造の概略図を参照して、更に後述する。上記のように、油圧ブロック４８は、油圧ポンプ２２と油圧モータ２４との間に設置されている。油圧ブロックは、油圧流路５２を介して相互に接続された複数の逆止弁５０を含み、更に、１つまたは複数の圧力調整器５４及び／または電気的オン／オフ弁８０を含む場合がある。油圧ブロック４８は、第１のポンプライン５６及び第２のポンプライン５８を介して油圧ポンプ２２に接続されており、車輪１４の回転方向に応じて、第１のポンプライン５６または第２のポンプライン５８のいずれか一方がポンプ出力ラインとして機能することができ、他方は、作動油が発電システム２０を通して循環するときにポンプ入力ラインとして機能する。逆止弁５０、圧力調整器５４、及び弁８０は、車輪１４の回転方向及び油圧ポンプ２２の動作に関係なく、作動油が、この閉じた油圧システムにおいて、油圧ポンプ２２に戻る前に、モータ入力ライン６０に沿って油圧ブロック４８を出て、モータ入口６２で油圧モータ２４に入り、モータ出口６４で、モータ出口ライン６６に沿って、油圧モータ２４を出るように設置され、方向付けられている。したがって、油圧モータ２４は常に同じ方向に回転し、それに伴ってプライミングポンプ４６をその同じ方向に回転させて、流体リザーバ７０から十分な作動油を引き出して選択された作動油圧力を維持するように、プライミングポンプ４６の吸引ライン６８に十分な吸引を提供する。
【００３０】
実例として、図３では、車輪１４は、作動油が、第１のポンプライン５６を通って油圧ポンプ２２を出て、油圧ブロック４８に入るように第１の方向に回転していてもよく、その油圧ブロック４８では、逆止弁５０及び圧力調整器５４が、作動油を、矢印７２によって示される第１の流れ方向に沿って導き、モータ入口６２経由で油圧モータ２４に送り込む。作動油は、油圧モータ２４からモータ出口６４を経由して流出し、モータ出口ライン６６に沿って第２のポンプライン５８へ流れて、油圧ポンプ２２に再び入る。
【００３１】
更に、図４に示すように、車輪１４は、作動油が、第２のポンプライン５８を通って油圧ポンプ２２を出て、油圧ブロック４８に入るように、第１の方向とは反対の第２の方向に回転していてもよく、油圧ブロック４８では、逆止弁５０及び圧力調整器５４が、作動油を、矢印７４によって示される第２の流れ方向に沿って導き、モータ入口６２経由で油圧モータ２４に送り込む。作動油は、油圧モータ２４からモータ出口６４を経由して流出し、モータ出口ライン６６に沿って第１のポンプライン５６へ流れて、油圧ポンプ２２に再び入る。
【００３２】
本明細書に開示されたシステム及び構成要素は、鉄道車両の車輪の回転により、油圧駆動式発電システムを介して、冷凍ユニットが動力を供給されるようにする。更に、プライミングポンプを油圧モータに接続することにより、プライミングポンプを駆動するための独立した電気モータが不要になる。また、逆止弁及び圧力調整器を含む油圧ブロックは、車輪の回転方向と油圧ポンプを通る流れの方向とに関係なく、油圧モータの同じポートに作動油を送り込む。結果として、接続されたプライミングポンプは、車輪の回転方向と油圧ポンプを通る流れの方向とに関係なく、同じ方向に動作して、特定の条件下でのプライミングポンプのキャビテーションを防止するので、システム内の選択された作動油圧力を維持するために、プライミングポンプを利用することができる。
【００３３】
「約」という用語は、出願時に利用可能な装置に基づく特定の量の測定に関連する誤差の程度を含むことを意図している。
【００３４】
本明細書で使用される用語は、特定の実施形態を説明するためのものに過ぎず、本開示を限定することを意図するものではない。本明細書で使用するとき、単数形「ａ」、「ａｎ」、及び「ｔｈｅ」は、文脈上別段に明示されていない限り、複数形も同様に含むことが意図されている。本明細書で使用する場合、用語「備える（ｃｏｍｐｒｉｓｅｓ）」及び／または「備えている（ｃｏｍｐｒｉｓｉｎｇ）」は、記載された機能、整数、ステップ、動作、要素、及び／または構成要素の存在を指定するが、１つまたは複数の他の機能、整数、ステップ、動作、要素、構成要素、及び／またはそれらのグループの存在または追加を排除するものではないことが更に理解されよう。
【００３５】
本開示は、例示の１つまたは複数の実施形態を参照して説明したが、本開示の範囲から逸脱することなく、種々の変更を行ってもよく、均等物がその要素の代わりをする場合もあることは当業者によって理解されるであろう。更に、本開示の本質的な範囲から逸脱することなく、本開示の教示に対して特定の状況または材料を適合させるために、多くの修正を行ってもよい。したがって、本開示は、本開示を実施するために企図された最良の形態として開示される特定の実施形態に限定されるのではなく、本開示は、特許請求の範囲内に収まる全ての実施形態を含むことが意図されている。
【図１】
2021520473.tif 000003
【図２】
2021520473.tif 000004
【図３】
2021520473.tif 000005
【図４】
2021520473.tif 000006
【国際調査報告】
2021520473.tif 000007
2021520473.tif 000008
2021520473.tif 000009